(57)【特許請求の範囲】
【請求項１】
情報処理装置から画像データがネットワークを介して投写型映像表示装置に送信されて拡大投写される投写型映像表示システムにおいて、
前記情報処理装置側で画像送信操作が行われると前記投写型映像表示装置の電源が投入状態にされると共に、前記投写型映像表示装置の入力切替がネットワーク画像表示モード状態にされて、前記情報処理装置から画像データが前記投写型映像表示装置に送信され、
前記情報処理装置側で画像送信操作が停止されると前記投写型映像表示装置への画像データ送信が停止されると共に、前記投写型映像表示装置の電源がＯＦＦされることを特徴とする投写型映像表示システム。
【請求項２】
請求項１記載の投写型映像表示システムに用いられる投写型映像表示装置であって、
前記情報処理装置からの所定の状態問い合わせに応じて自装置の所定の状態を確認する状態確認手段と、この状態確認手段によって得られた状態データを前記情報処理装置に送信する状態データ送信手段と、前記情報処理装置からの所定の操作要求に応じて所定の要求操作を実行する要求操作実行手段とを備えたことを特徴とする投写型映像表示装置。
【発明の詳細な説明】
【技術分野】
【０００１】
本願発明は、ＰＣ（パーソナルコンピュータ）等の情報処理装置から画像データを液晶プロジェクタ等の投写型映像表示装置に送信して拡大投写する投写型映像表示システム及びそれに用いられる投写型映像表示装置に関するものである。
【背景技術】
【０００２】
この種の従来技術として、例えば特許文献１には、プロジェクタに、ＰＣ等の情報処理装置から供給される画像データをＲＡＭに記憶してフレーム画像を生成する入力処理部と、ＲＡＭからフレーム画像を読み出して出力する出力処理部とを備え、ＰＣから画像データが供給されると、それを検出して入力処理部を駆動させてフレーム画像を生成させ、それ以外のときは入力処理部の駆動を停止させるプロジェクタシステム及びプロジェクタが開示されている。
【特許文献１】特開２００４−１７７７８４号公報
【発明の開示】
【発明が解決しようとする課題】
【０００３】
しかしながら、上記特許文献１に示されたような従来技術は、ＰＣ（情報処理装置）からプロジェクタ（投写型映像表示装置）自体の状態を確認し、プロジェクタの操作を自動で行うものではなかった。このため、ユーザがＰＣから使用開始／終了時に自動的にプロジェクタの電源投入／停止や入力切替を行うことができず、プロジェクタ自体を操作しなければならないので、特にネットワークを介した場合にはユーザ操作が煩わしいものとなっていた。
【０００４】
そこで、本願発明はこのような課題を解決するためになされたものであり、使用開始／終了時のユーザ操作の煩わしさを解消することができる投写型映像表示システム及びそれに用いられる投写型映像表示装置を提供することを目的とするものである。
【課題を解決するための手段】
【０００５】
上記のような目的を達成するために、本願の請求項１に係る発明は、情報処理装置から画像データがネットワークを介して投写型映像表示装置に送信されて拡大投写される投写型映像表示システムにおいて、前記情報処理装置側で画像送信操作が行われると前記投写型映像表示装置の電源が投入状態にされると共に、前記投写型映像表示装置の入力切替がネットワーク画像表示モード状態にされて、前記情報処理装置から画像データが前記投写型映像表示装置に送信され、前記情報処理装置側で画像送信操作が停止されると前記投写型映像表示装置への画像データ送信が停止されると共に、前記投写型映像表示装置の電源がＯＦＦされることを特徴とするものである。
【０００６】
請求項２に係る発明は、請求項１記載の投写型映像表示システムに用いられる投写型映像表示装置であって、前記情報処理装置からの所定の状態問い合わせに応じて自装置の所定の状態を確認する状態確認手段と、この状態確認手段によって得られた状態データを前記情報処理装置に送信する状態データ送信手段と、前記情報処理装置からの所定の操作要求に応じて所定の要求操作を実行する要求操作実行手段とを備えたことを特徴とするものである。
【発明の効果】
【０００９】
本願発明の請求項１記載の発明によれば、情報処理装置側での画像送信操作に基づきネットワークを介して投写型映像表示装置の電源が投入されているか否かを確認し、電源が投入されていないことが確認されたときには投写型映像表示装置の電源を投入し、電源が投入されているのが確認されるか又は電源が投入された後に情報処理装置から画像データを投写型映像表示装置に送信するようにして、ユーザが情報処理装置から使用開始時に自動的に投写型映像表示装置の電源投入状態を確認し、電源が投入されていなければ電源投入を行ってから画像データを送信するので、使用開始時のユーザ操作の煩わしさを解消することができる。
【００１０】
請求項２記載の発明によれば、投写型映像表示装置に、情報処理装置からの所定の状態問い合わせに応じて自装置の所定の状態を確認する状態確認手段と、この状態確認手段によって得られた状態データを情報処理装置に送信する状態データ送信手段と、情報処理装置からの所定の操作要求に応じて所定の要求操作を実行する要求操作実行手段とを備えたので、上述したような効果が得られる投写型映像表示装置が実現できる。
【発明を実施するための最良の形態】
【００１３】
以下、本願発明の実施形態を図面を参照して詳細に説明する。
【００１４】
図１は、本願発明に係る投写型映像表示システムの一実施形態の概略構成を示すシステム構成図である。
【００１５】
本実施形態の投写型映像表示システムは、小型で汎用の情報処理装置として広く普及しているＰＣ（Personal Computer）１と、無線ＬＡＮ（Local Area Network）等のネットワーク２を介して上記ＰＣ１に接続可能な投写型映像表示装置としての液晶プロジェクタ３とから構成されている。
【００１６】
図２は、上記ＰＣ１の主に投写型映像表示システムに係る構成を示すブロック図である。ＰＣ１は、当該ＰＣ１全体を制御すると共に本願発明に係る各種手段を後述するフローチャートで示す処理を実行することにより実現するＣＰＵ（Central Processing Unit）１１と、このＣＰＵ１１とバス１２を介して接続されたＨＤＤ（Hard Disk Drive）１３、ＲＡＭ（Random-Access Memory）１４、液晶ディスプレイ１５、ネットワーク通信部１６等から構成されている。
【００１７】
上記ＨＤＤ１３には、ＯＳ(Operating System)や各種アプリケーションソフト等のＣＰＵ１１が実行するプログラムなどが格納されている。また、上記ＲＡＭ１４は、ＣＰＵ１１のプログラム実行時の作業ＲＡＭとして用いられると共に、上記液晶ディスプレイ１５上の表示画像をキャプチャしたキャプチャデータの格納エリアとしても用いられる。また、ネットワーク通信部１６は、このＰＣ１を無線ＬＡＮ等のネットワーク２に接続してネットワーク通信を可能とするものである。
【００１８】
図３は、前記液晶プロジェクタ３の主に投写型映像表示システムに係る構成を示すブロック図である。液晶プロジェクタ３は、当該液晶プロジェクタ３全体を制御すると共に本願発明に係る各種手段を後述するフローチャートで示す処理を実行することにより実現するＣＰＵ３１と、このＣＰＵ３１とバス３２を介して接続されたＲＯＭ（Read-Only Memory）３３、ＲＡＭ３４、ＵＳＢ（Universal Serial Bus）コネクタ３５、電源制御回路３６、ネットワーク通信部３７、液晶パネル３８等から構成されている。
【００１９】
上記ＲＯＭ３３には、ＣＰＵ３１が実行するプログラムやネットワーク接続に必要なＩＰ（Internet Protocol）アドレス情報などのネットワーク設定データ等が格納される。また、上記ＲＡＭ３４は、ＣＰＵ３１のプログラム実行時の作業ＲＡＭとして用いられると共に、前記ＰＣ１等からの画像データを描画用に格納する描画用ＲＡＭとしても用いられる。ＵＳＢコネクタ３５は、ＵＳＢメモリ等の各種周辺機器を接続可能な汎用の接続手段である。電源制御回路３６は、電源の投入／停止や装置各部への電力供給を制御するものである。ネットワーク通信部３７は、この液晶プロジェクタ３を無線ＬＡＮ等のネットワーク２に接続してネットワーク通信を可能とするものである。液晶パネル３８は、図示しない光学系に光変調素子として配置されて、前記ＲＡＭ３４の描画用ＲＡＭから読み出された画像データに基づき投写用画像が表示されるものである。
【００２０】
図４は、上記ＰＣ１の本願発明に係る動作を示すフローチャートであり、ＣＰＵ１１により実行される。
【００２１】
図４のフローチャートで示す処理が開始されると、まずユーザ操作待ち状態になる（ステップＳ１０１のＮループ）。このユーザ操作待ち状態からユーザ操作が有り（ステップＳ１０１のＹ）、ＰＣアプリケーションによる画像送信ボタンが押されてＰＣ表示画像の送信要求が行われると（ステップＳ１０２のＹ）、まずアプリケーションよりプロジェクタ３に対して電源ＯＮ確認要求を行う（ステップＳ１０３）。なお、画像送信ボタン押下以外の操作が行われた場合は、その操作に対応した処理が行われてユーザ操作待ち状態に戻る（ステップＳ１０２のＮ→ステップＳ１０４→ステップＳ１０１）。
【００２２】
上記ステップＳ１０３で、プロジェクタ３の電源が投入されていない場合は、プロジェクタ３に対して電源ＯＮ要求コマンドを発行し、プロジェクタ３の電源投入を行う（ステップＳ１０３のＮ→ステップＳ１０５）。その後、プロジェクタ３の入力切替状態を確認し、入力切替がネットワーク画像を表示するモードになっているか否かの確認を行う（ステップＳ１０６）。入力切替がネットワーク画像表示モードになっていない場合は、入力切替をネットワーク画像表示モードに切替えるコマンドを発行し、プロジェクタ３の入力切替をネットワーク画像を表示するモードに設定を変更する（ステップＳ１０６のＮ→ステップＳ１０７）。電源ＯＮ確認時に既に電源がＯＮされている場合（ステップＳ１０３のＹ）や入力切替状態確認時に入力モードがネットワーク画像表示モードとなっている場合（ステップＳ１０６のＹ）には、コマンドを発行せずにそのまま次の処理に移行するようにする。
【００２３】
上述の処理終了後に、ＰＣ表示画像をキャプチャして得られた画像データをネットワーク２を介してプロジェクタ３に送信し（ステップＳ１０８）、プロジェクタ３によってＰＣ表示画像をスクリーン上に拡大投写する。
【００２４】
上記の画像送信が行われている時は、画像送信を行いながら画像送信の終了要求がユーザ操作により行われたか否かの確認を行う（ステップＳ１０９のＮ→ステップＳ１０８のループ）。そして、ＰＣアプリケーションによる画像送信ストップボタンが押されて終了要求が行われた段階でプロジェクタ３への画像送信を終了し（ステップＳ１０９のＹ→ステップＳ１１０）、プロジェクタ３の電源ＯＦＦの確認を行う（ステップＳ１１１）。
【００２５】
プロジェクタ３の電源がＯＦＦされている場合はそのままユーザ操作の待ち状態に遷移するが（ステップＳ１１１のＹ→ステップＳ１０１）、プロジェクタ３の電源がＯＮのままである場合はプロジェクタ３に対して電源をＯＦＦにする要求コマンドを発行して、プロジェクタ３の電源をＯＦＦした後、ユーザ操作の待ち状態に遷移する（ステップＳ１１１のＮ→ステップＳ１１２→ステップＳ１０１）。
【００２６】
これにより、ユーザはプロジェクタ３の電源状態や入力切替状態を意識することなく、ＰＣ表示画像をプロジェクタ３から拡大投写してスクリーン上に表示することが可能となる。
【００２７】
図５は、上記プロジェクタ３の本願発明に係る動作を示すフローチャートであり、ＣＰＵ３１により実行される。なお、このフローチャートで示す処理は、プロジェクタ３の電源が投入されていないときでも待機電力により実行されるように構成されている。
【００２８】
図５のフローチャートで示す処理が開始されると、まずＰＣ１からのコマンド受信待ち状態になる（ステップＳ２０１のＮループ）。このコマンド受信待ち状態においてＰＣ１からの所定のコマンドが受信されると（ステップＳ２０１のＹ）、まず受信したコマンドが所定の状態問い合わせ（電源ＯＮ／ＯＦＦ確認要求又は入力切替状態確認要求）か否かをチェックする（ステップＳ２０２）。
【００２９】
ＰＣ１から受信したコマンドが所定の状態問い合わせであれば、問い合わせ内容（電源ＯＮ／ＯＦＦ確認要求又は入力切替状態確認要求）に対応して自装置（プロジェクタ３）の状態確認を行う（ステップＳ２０２のＹ→ステップＳ２０３）。この状態確認によって得られた状態データ（具体的には電源ＯＮ又は電源ＯＦＦや入力切替がネットワーク画像表示モードか否かを示すデータ）をネットワーク２を介してＰＣ１に送信して、コマンド受信待ち状態に戻る（ステップＳ２０４→ステップＳ２０１）。
【００３０】
一方、ＰＣ１から受信したコマンドが状態問い合わせでなければ（ステップＳ２０２のＮ）、ステップＳ２０５に移行して所定のプロジェクタ操作要求（電源ＯＮ／ＯＦＦ要求コマンドや入力切替をネットワーク画像表示モードにするコマンド）か否かをチェックし、所定のプロジェクタ操作要求であれば、要求操作，すなわち電源をＯＮ／ＯＦＦしたり、入力切替をネットワーク画像表示モードにして、コマンド受信待ち状態に戻る（ステップＳ２０５のＹ→ステップＳ２０６→ステップＳ２０１）。
【００３１】
以上のように、本実施形態によれば、ユーザがＰＣ表示画像をプロジェクタ３から拡大投写してスクリーン上に表示させたい時に、プロジェクタ３の電源ＯＮ操作や、入力切替状態をネットワーク画像表示モードに切替えるなどの煩わしい事前操作が必要なくなり、使用開始時のユーザ操作の煩わしさを解消することができ、電源状態や入力切替状態を気にすることなく、ＰＣ１からのワンボタン操作で表示することが可能となる。
【００３２】
更に、終了操作もＰＣ１からの終了ボタン操作のみでプロジェクタ３の電源を落とすことが可能となるため、使用終了時のユーザ操作の煩わしさも解消することができる。また、ポータブルなプロジェクタなどにおいて画像表示終了操作後、電源ＯＦＦ操作することなく、すぐに持ち運びが可能となるなどの利点もある。
【００３３】
なお、上記実施形態では、入力切替にも対応させて、入力切替が必要な場合でも使用開始時のユーザ操作の煩わしさを解消することができるようにしたが、ネットワーク使用がメインで入力切替を常にネットワーク画像表示モードにしているようなものでは、入力切替に対応させなくても実施可能である。
【００３４】
また、上記実施形態では、投写型映像表示装置として光変調素子に液晶パネルを用いた液晶プロジェクタを示したが、他の映像光生成系を備える投写型映像表示装置においても本願発明を適用することができる。すなわち、ＤＬＰ（Digital Light Processing；テキサス・インスツルメンツ（TI）社の登録商標）方式等のプロジェクタにおいても本願発明を適用することができる。また、前面投写型の他、背面投写型映像表示装置においても本願発明を適用することができる。
【図面の簡単な説明】
【００３５】
【図１】本願発明に係る投写型映像表示システムの一実施形態の概略構成を示すシステム構成図。
【図２】ＰＣの主に投写型映像表示システムに係る構成を示すブロック図。
【図３】液晶プロジェクタの主に投写型映像表示システムに係る構成を示すブロック図。
【図４】上記ＰＣの本願発明に係る動作を示すフローチャート。
【図５】上記液晶プロジェクタの本願発明に係る動作を示すフローチャート。
【符号の説明】
【００３６】
１  ＰＣ
１１  ＣＰＵ
１２  バス
１３  ＨＤＤ
１４  ＲＡＭ
１５  液晶ディスプレイ
１６  ネットワーク通信部
２  ネットワーク
３  液晶プロジェクタ
３１  ＣＰＵ
３２  バス
３３  ＲＯＭ
３４  ＲＡＭ
３５  ＵＳＢコネクタ
３６  電源制御回路
３７  ネットワーク通信部
３８  液晶パネル
【図２】
0005033570.tif 000002
【図３】
0005033570.tif 000003
【図４】
0005033570.tif 000004
【図５】
0005033570.tif 000005
【図１】
0005033570.tif 000006